(57)【要約】【課題】記録媒体に記録したコンテンツデータに対応するサムネイルを容易に表示することができる記録装置を提供する。【解決手段】光ディスク（記録媒体）にコンテンツデータを記録する光ディスクドライブ１１及び記憶部１２を備える録画装置（記録装置）１は、記憶部１２にコンテンツデータを記憶する際に、コンテンツデータの内容の一部を示すサムネイルデータを作成して記憶部１２に記憶し、また記憶部１２に記憶せずに光ディスクにコンテンツデータを記録する際に、サムネイルデータを作成して記憶部１２に記憶する。また録画装置１は、記憶部１２に記憶したコンテンツデータを光ディスクへ転送する。録画装置１は、記憶部１２に記憶したサムネイルデータに基づき、コンテンツデータを光ディスクに記録したコンテンツを含めた各コンテンツのサムネイルを容易に表示することができる。【選択図】図２
2011061369.tif 000002
【特許請求の範囲】
【請求項１】
コンテンツデータを記憶する記憶部と、着脱可能な記録媒体にコンテンツデータを記録する手段とを備える記録装置において、
前記記憶部でコンテンツデータを記憶する際に、当該コンテンツデータの内容を示すサムネイルデータを作成する手段と、
作成したサムネイルデータを、前記コンテンツデータに関連付けて前記記憶部に記憶させる第１サムネイル記憶手段と、
前記記憶部でコンテンツデータを記憶せずに、装着された記録媒体にコンテンツデータを記録する際に、当該コンテンツデータの内容を示すサムネイルデータを作成する手段と、
作成したサムネイルデータを、前記記録媒体及び前記コンテンツデータに関連付けて前記記憶部に記憶させる第２サムネイル記憶手段と、
前記記憶部に記憶したサムネイルデータに基づいたサムネイル画像を内部又は外部の表示部に表示させる表示手段と
を備えることを特徴とする記録装置。
【請求項２】
前記記憶部は、コンテンツデータを記憶することができる複数の記憶領域を有しており、
個別の記録媒体を識別するための識別情報を前記複数の記憶領域の内の一の記憶領域に関連付けて記憶する手段と、
一の記憶領域に関連付けて識別情報を記憶してある記録媒体が装着された場合に、前記記憶領域に記憶しているコンテンツデータの内で前記記録媒体に記録していないコンテンツデータを前記記録媒体に記録する手段とを更に備え、
前記第１サムネイル記憶手段は、コンテンツデータを記憶した記憶領域と同一の記憶領域に、作成したサムネイルデータを記憶するように構成してあり、
前記第２サムネイル記憶手段は、装着されている記録媒体の識別情報を関連付けてある記憶領域に、作成したサムネイルデータを記憶するように構成してあること
を特徴とする請求項１に記載の記録装置。
【請求項３】
コンテンツデータは、放送されるコンテンツを表すデータであり、
識別情報を記憶してある記録媒体に関連付けて、コンテンツデータを記録すべきコンテンツを指定するコンテンツ指定情報を記憶する手段と、
記憶してあるコンテンツ指定情報で指定されたコンテンツの放送時に、前記コンテンツ指定情報を関連付けられた記録媒体が装着されているか否かを判定する手段と、
前記記録媒体が装着されている場合に、前記記録媒体に前記コンテンツのコンテンツデータを記録する手段と、
前記記録媒体が装着されていない場合に、前記記録媒体の識別情報を関連付けてある記憶領域に前記コンテンツのコンテンツデータを記憶させる手段と
を更に備えることを特徴とする請求項２に記載の記録装置。
【請求項４】
前記表示手段は、
一の記憶領域に記憶したサムネイルデータに基づいたサムネイル画像の一覧を表示する手段を有すること
を特徴とする請求項２又は３に記載の記録装置。
【請求項５】
装着された記録媒体にコンテンツデータを記録する際に、当該コンテンツデータに係るサムネイルデータを前記記録媒体に記録する手段を更に備えること
を特徴とする請求項１から４までのいずれか一つに記載の記録装置。
【請求項６】
サムネイルデータは、コンテンツデータが表すコンテンツの冒頭一定時間内の内容を示すデータであること
を特徴とする請求項１から５までのいずれか一つに記載の記録装置。
【発明の詳細な説明】
【技術分野】
【０００１】
本発明は、放送された番組等のコンテンツの内容を表すコンテンツデータを光ディスク等の記録媒体に記録する記録装置に関する。
【背景技術】
【０００２】
現在、テレビジョン放送により放送されたコンテンツを録画する録画装置（記録装置）が普及している。録画装置には、映像又は音声等からなるコンテンツの内容を表すコンテンツデータを、ハードディスク等の内蔵する記憶部に記憶するものと、着脱可能な光ディスク等の可搬型の記録媒体に記録するものとがある。内蔵する記憶部を用いる録画装置では、コンテンツデータの書き込み及び読み出しの速度が記録媒体を用いる場合よりも高速であり、コンテンツの録画又は再生時に使用者がストレスを感じることは少ない。可搬型の記録媒体を用いる録画装置では、コンテンツデータを記録した記録媒体を保管することで使用者はコンテンツを保有することが可能であり、また他の機器でコンテンツデータを利用することも可能となる。更に、内蔵する記憶部と可搬型の記録媒体との両方を利用する録画装置も普及しており、この録画装置では、記憶部にコンテンツデータを一旦記憶しておき、後でコンテンツデータを記録媒体にダビングすることができる。
【０００３】
通常の録画装置は、テレビジョン受像機等の映像表示装置に接続され、録画したコンテンツを映像表示装置を用いて再生することができる。録画したコンテンツを再生する際には、再生すべきコンテンツを検索するためにサムネイル画像が使用されることが多い。例えば、記録部に記憶されたコンテンツデータ及び装着中の記録媒体に記録されたコンテンツデータに基づいてサムネイルデータを作成し、映像表示装置にサムネイル画像を表示し、いずれかのサムネイル画像を選択することによりユーザから再生すべきコンテンツの指定を受け付ける。引用文献１には、装着された記録媒体に記録されたコンテンツデータを読み出し、読み出したコンテンツデータに基づいてサムネイルデータを作成し、作成したサムネイルデータを記録部に記憶する録画装置が開示されている。
【先行技術文献】
【特許文献】
【０００４】
【特許文献１】特開２００７−１１５２９８号公報
【発明の概要】
【発明が解決しようとする課題】
【０００５】
特許文献１に記載の技術では、録画装置は装着された記録媒体からコンテンツデータを読み出し、読み出したコンテンツデータに基づいてサムネイルデータを作成している。サムネイルデータを作成するためにコンテンツデータを読み出す必要があるので、録画装置は、コンテンツを再生せずともサムネイルデータの生成のためにコンテンツデータを読み出す必要があり、録画装置に無駄に負荷をかけるという問題がある。またコンテンツデータを記録媒体から読み出すために必要な時間が長いので、記録媒体が最初に装着されたときにサムネイル画像を表示するまでに長い時間がかかるという問題がある。
【０００６】
本発明は、斯かる事情に鑑みてなされたものであって、その目的とするところは、予め記憶部にサムネイルデータを記憶しておくことにより、記録媒体に記録したコンテンツデータに対応するサムネイル画像を容易に表示することができる記録装置を提供することにある。
【課題を解決するための手段】
【０００７】
本発明に係る記録装置は、コンテンツデータを記憶する記憶部と、着脱可能な記録媒体にコンテンツデータを記録する手段とを備える記録装置において、前記記憶部でコンテンツデータを記憶する際に、当該コンテンツデータの内容を示すサムネイルデータを作成する手段と、作成したサムネイルデータを、前記コンテンツデータに関連付けて前記記憶部に記憶させる第１サムネイル記憶手段と、前記記憶部でコンテンツデータを記憶せずに、装着された記録媒体にコンテンツデータを記録する際に、当該コンテンツデータの内容を示すサムネイルデータを作成する手段と、作成したサムネイルデータを、前記記録媒体及び前記コンテンツデータに関連付けて前記記憶部に記憶させる第２サムネイル記憶手段と、前記記憶部に記憶したサムネイルデータに基づいたサムネイル画像を内部又は外部の表示部に表示させる表示手段とを備えることを特徴とする。
【０００８】
本発明においては、着脱可能な記録媒体にコンテンツデータを記録する記録装置は、記憶部を備え、記憶部にコンテンツデータを記憶する際に、コンテンツデータの内容の一部を示すサムネイルデータを作成して記憶部に記憶し、また記録媒体にコンテンツデータを記録する際に、サムネイルデータを作成して記憶部に記憶する。また記録装置は、記憶部に記憶したサムネイルデータに基づいてサムネイル画像を表示する。これにより、コンテンツデータを記録媒体に記録してあって記憶部には記憶していないコンテンツを含めたコンテンツをサムネイル画像で示すことができる。
【０００９】
本発明に係る記録装置は、前記記憶部は、コンテンツデータを記憶することができる複数の記憶領域を有しており、個別の記録媒体を識別するための識別情報を前記複数の記憶領域の内の一の記憶領域に関連付けて記憶する手段と、一の記憶領域に関連付けて識別情報を記憶してある記録媒体が装着された場合に、前記記憶領域に記憶しているコンテンツデータの内で前記記録媒体に記録していないコンテンツデータを前記記録媒体に記録する手段とを更に備え、前記第１サムネイル記憶手段は、コンテンツデータを記憶した記憶領域と同一の記憶領域に、作成したサムネイルデータを記憶するように構成してあり、前記第２サムネイル記憶手段は、装着されている記録媒体の識別情報を関連付けてある記憶領域に、作成したサムネイルデータを記憶するように構成してあることを特徴とする。
【００１０】
本発明においては、記録装置は、記憶部を分割した複数の記憶領域の夫々に特定の記録媒体を対応付けておき、記録媒体が装着された場合は、当該記録媒体に対応する記憶領域に記憶されたコンテンツデータを記録媒体に記録する。記録媒体に対応する記憶領域にはサムネイルデータを記憶してあり、コンテンツデータを記憶部から記録媒体へ転送したコンテンツについても、サムネイル画像を表示することができる。
【００１１】
本発明に係る記録装置は、コンテンツデータは、放送されるコンテンツを表すデータであり、識別情報を記憶してある記録媒体に関連付けて、コンテンツデータを記録すべきコンテンツを指定するコンテンツ指定情報を記憶する手段と、記憶してあるコンテンツ指定情報で指定されたコンテンツの放送時に、前記コンテンツ指定情報を関連付けられた記録媒体が装着されているか否かを判定する手段と、前記記録媒体が装着されている場合に、前記記録媒体に前記コンテンツのコンテンツデータを記録する手段と、前記記録媒体が装着されていない場合に、前記記録媒体の識別情報を関連付けてある記憶領域に前記コンテンツのコンテンツデータを記憶させる手段とを更に備えることを特徴とする。
【００１２】
本発明においては、記録装置は、放送されるコンテンツのコンテンツデータを記録するためにコンテンツ指定情報を記録媒体に関連付けて記憶し、録画すべきコンテンツの放送時に当該記録媒体が装着されている場合は記録媒体にコンテンツデータを記録し、記録媒体が装着されていない場合は当該記録媒体に対応する記憶領域にコンテンツデータを記憶させる。後で記録媒体を記録装置に装着した場合に、記憶部に記憶されたコンテンツデータは記録媒体に記録されるので、コンテンツデータは確実に記録されることになる。
【００１３】
本発明に係る記録装置は、前記表示手段は、一の記憶領域に記憶したサムネイルデータに基づいたサムネイル画像の一覧を表示する手段を有することを特徴とする。
【００１４】
本発明においては、記録装置は、サムネイル画像を表示する際に、記録媒体に対応する記憶領域に記憶されたサムネイルデータに基づいたサムネイル画像の一覧を表示する。これにより、特定の記録媒体に記録されたコンテンツデータが示される。
【００１５】
本発明に係る記録装置は、装着された記録媒体にコンテンツデータを記録する際に、当該コンテンツデータに係るサムネイルデータを前記記録媒体に記録する手段を更に備えることを特徴とする。
【００１６】
本発明においては、記録装置は、記録媒体にコンテンツデータを記録する際にサムネイルデータを記録媒体に記録する。これにより、記録媒体に記録されたコンテンツデータに基づいたコンテンツの再生を他の再生装置で行う場合でも、サムネイル画像を利用することができる。
【００１７】
本発明に係る記録装置は、サムネイルデータは、コンテンツデータが表すコンテンツの冒頭一定時間内の内容を示すデータであることを特徴とする。
【００１８】
本発明においては、記録媒体が作成するサムネイルデータは、コンテンツの冒頭一定時間内の内容を示すサムネイル画像を表しているので、使用者は、表示されたサムネイル画像を確認することにより、コンテンツの内容を把握することができる。
【発明の効果】
【００１９】
本発明にあっては、サムネイルデータを用いることにより、コンテンツデータを記録媒体に記録してあって記録装置の記憶部には記憶していないコンテンツを含めて過去に利用したコンテンツを管理し、必要に応じて示すことができる。また本発明では、コンテンツデータを記憶部に記憶する際又は記録媒体に記録する際に、サムネイルデータを作成して記憶部に記憶しておくので、サムネイル画像を表示する際には、記録装置に負荷をかけることなく容易にサムネイル画像を表示することができる。またサムネイルデータを作成するために光ディスクからコンテンツデータを読み出す必要がないので、短時間でサムネイル画像を表示することが可能である等、本発明は優れた効果を奏する。
【図面の簡単な説明】
【００２０】
【図１】本発明の記録装置である録画装置の外観を示す概念図である。
【図２】本発明の記録装置である録画装置の内部構成を示すブロック図である。
【図３】記憶部の内部構成を示す模式図である。
【図４】記憶部の記憶領域を分割する処理の手順を示すフローチャートである。
【図５】光ディスクドライブに光ディスクが装着されてから録画装置が行う処理の手順を示すフローチャートである。
【図６】録画装置が行う録画予約の処理の手順を示すフローチャートである。
【図７】保存用メモリに記憶した予約情報の内容例を示す概念図である。
【図８】録画装置が行う録画処理の手順を示すフローチャートである。
【図９】録画装置が行う同期処理の手順を示すフローチャートである。
【図１０】記憶部及び光ディスクの状態を示す概念図である。
【図１１】タイトル情報の内容例を示す概念図である。
【図１２】複数のコンテンツデータが記録された場合の記憶部及び光ディスクの状態例を示す概念図である。
【図１３】複数のコンテンツデータが記録された場合のタイトル情報の例を示す概念図である。
【図１４】録画装置が行うコンテンツを再生する処理の手順を示すフローチャートである。
【図１５】サムネイル画像の一覧を表示した表示画面の例を示す概念図である。
【発明を実施するための形態】
【００２１】
以下本発明をその実施の形態を示す図面に基づき具体的に説明する。
図１は、本発明の記録装置である録画装置１の外観を示す概念図である。録画装置１には、テレビジョン受像機である映像表示装置４が接続されており、録画装置１は、映像表示装置４に対して映像信号及び音声信号を出力し、映像表示装置４は、映像信号に基づいた映像を表示し、音声信号に基づいた音声を出力する。また録画装置１は、使用者によって操作されるリモコン（リモートコントローラ）５からの信号を受信することにより、録画予約の指示等の各種の指示を受け付ける。映像表示装置４は、本発明における表示部に対応する。
【００２２】
図２は、本発明の記録装置である録画装置１の内部構成を示すブロック図である。録画装置１は、図示しない外部のアンテナ等に接続されてあり、デジタル放送の放送波を復調した放送信号を入力される放送入力部３１と、図示しない外部チューナ等の外部装置から映像信号及び音声信号を入力される信号入力部３２とを備えている。更に録画装置１は、映像表示装置４へ映像信号を出力する信号出力部３４と、放送されたコンテンツの内容を表すコンテンツデータを記録するハイブリッドドライブ部１０と、放送信号からコンテンツデータを生成する処理、及びコンテンツデータから映像信号を生成する処理を行うバックエンド部２０とを備えている。コンテンツデータは映像及び音声からなるコンテンツの内容を表すデジタルデータであり、コンテンツデータをデコードすることにより、コンテンツの映像及び音声を再生することができる。
【００２３】
バックエンド部２０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号を入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータを入力され、デジタル放送用のスクランブルを解除する処理等のストリームデータに対するデータ処理を行う。
【００２４】
ストリーム処理部２３は、バックエンド部２０内のシステムバスに接続されている。またシステムバスには、演算を行う演算部を含んでなる録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部分間でのデータの入出力を制御する処理を行う。また録画／再生制御部２４には、リモコン５からの信号を受信するリモコン受信部２１０が接続されている。リモコン受信部２１０は、使用者に操作されたリモコン５からの信号を受信し、録画／再生制御部２４は、リモコン受信部２１０からの信号を入力されることにより、使用者からの各種の指示を受け付ける。なお、録画装置１は、更に、チューナ装置等の外部装置からストリームデータを受信するイーサネット（登録商標）等のデジタルインタフェースを備えていてもよい。このデジタルインタフェースは、ストリーム処理部２３に接続されている。
【００２５】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約に必要な情報等、保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されており、映像信号及び音声信号は信号出力部３４から映像表示装置４へ出力される。
【００２６】
更に、バックエンド部２０内のシステムバスには、ＳＡＴＡ（Serial Advanced Technology Attachment ）等のインタフェース部２６が接続されており、インタフェース部２６には、バックエンド部２０外のハイブリッドドライブ部１０が接続されている。バックエンド部２０は、インタフェース部２６を介してハイブリッドドライブ部１０との間でデータを交換する。
【００２７】
ハイブリッドドライブ部１０は、バックエンド部２０に接続するＳＡＴＡ等のインタフェース部１４と、光ディスクドライブ１１と、データを記憶する記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。光ディスクドライブ１１は、ブルーレイディスク（登録商標）又はＤＶＤ（Digital Versatile Disk）等の光ディスクを装着され、装着された光ディスクからのデータの読み出し、及び光ディスクへのデータの記録を行う。光ディスクは、光ディスクドライブ１１に対して着脱可能であり、本発明における記録媒体に相当する。記憶部１２は、フラッシュメモリ等の不揮発性メモリ又はハードディスクで構成されてある。なお、光ディスクドライブ１１は、複数の光ディスクを装着することが可能な構成であってもよい。
【００２８】
図３は、記憶部１２の内部構成を示す模式図である。記憶部１２は、記憶部１２の記憶内容を管理するための情報を記憶する管理領域、並びにコンテンツデータを記憶するための第１領域、第２領域、…、第ｎ領域及び予備領域の複数の記憶領域を含んで構成されている。ここで、ｎは正の整数である。ｎは予め適当な値に定められており、録画装置１の出荷時点では、記憶部１２の記憶領域が管理領域、第１〜第ｎ領域及び予備領域の複数の記憶領域に予め分割されている。
【００２９】
記憶部１２の記憶領域の内、第１〜第ｎ領域は、個別に特定の光ディスクを対応付けておき、対応付けた光ディスクに応じたデータを記憶するための記憶領域である。例えば、第１領域には特定の光ディスク６１が対応付けられ、第２領域には特定の光ディスク６２が対応付けられている。録画装置１の出荷時点では、いずれの領域にも光ディスクは対応付けられていない。録画装置１を使用するには、使用者所有の光ディスクを何れかの記憶領域に対応付けて登録する処理を行う必要がある。また予備領域は、その他のデータを記憶するための本発明に係る非関連記憶領域であり、光ディスクの対応付けができないように設定されている。
【００３０】
記憶部１２の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域管理部には、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００３１】
第１領域管理部には、第１記憶領域の番号を示すエントリ番号、第１領域に実際に光ディスクが対応付けられているか否かを示す割り当てフラグ、及び対応付けられた光ディスクを識別するためのメディアＩＤが記憶される。また第１領域管理部には、記憶部１２の記憶領域中で第１領域に割り当てられたエリアのアドレスを示す割り当てエリア情報、光ディスクのコピーガードに利用するための情報であるメディアキー情報、及び第１領域に係るデータの分布状態を示すデータ分布情報が記憶される。メディアＩＤ及びメディアキー情報は、光ディスクに予め記録されている情報であり、個々の光ディスクについて固有の情報である。即ち、メディアＩＤ及びメディアキー情報は、本発明における識別情報に相当する。録画装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。データ分布情報は、第１領域で記憶するデータ、及び第１領域に対応付けられた光ディスク６１で記録するデータが、第１領域及び光ディスク６１のどのアドレスにどれぐらいのサイズで分布しているのかを示している。第２〜第ｎ領域管理部の夫々にも、同様の情報が記憶される。
【００３２】
なお、録画装置１は、記憶部１２の記憶領域が予め分割されているのではなく、使用者がｎの値を指定することによりｎを決定し、ｎの値に応じて記憶部１２の記憶領域を分割する処理を行う形態であってもよい。図４は、記憶部１２の記憶領域を分割する処理の手順を示すフローチャートである。録画／再生制御部２４は、録画装置１に登録できる光ディスクの枚数の指定を受け付けるための受付画面を映像表示装置４に表示させ、使用者が所定の操作を行ったリモコン５からの信号をリモコン受信部２１０が受信することによって、登録できる光ディスクの枚数の指定を受け付ける（Ｓ１１）。録画／再生制御部２４は、記憶部１２の管理領域管理部に、指定された枚数の値を、エントリ数ｎとして記憶させることにより、エントリ数を設定する（Ｓ１２）。録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（Ｓ１３）。録画／再生制御部２４は、次に、記憶部１２の管理領域以外の記憶領域を（ｎ＋１）分割し、第１〜第ｎ領域及び予備領域１２０の夫々に割り当てられたエリアのアドレスを示す割り当てエリア情報を、第１〜第ｎ領域管理部及び予備領域管理部の夫々に記憶させることにより、第１〜第ｎ領域及び予備領域１２０を設定する（Ｓ１４）。録画装置１は、以上で記憶部１２の記憶領域を分割する処理を終了する。
【００３３】
次に、以上の構成でなる録画装置１が実行する録画の処理を説明する。図５は、光ディスクドライブ１１に光ディスクが装着されてから録画装置１が行う処理の手順を示すフローチャートである。使用者の操作により光ディスクドライブ１１に光ディスクが装着された場合は、ドライブ制御部１３は、光ディスク中の所定の位置に記録された情報を光ディスクドライブ１１に読み出させることにより、光ディスクのメディアＩＤを読み出し、インタフェース部１４からバックエンド部２０へ入力する。録画／再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（Ｓ２０１）。メディアＩＤが記憶部１２に記憶されておらず、光ディスクが未登録であった場合は（Ｓ２０１：ＮＯ）、録画／再生制御部２４は、光ディスクドライブ１１で光ディスクから読み出したデータに基づき、光ディスクがフォーマット済みの光ディスクであるか否かを判定する（Ｓ２０２）。ステップＳ２０２では、例えば、ｖｏｌｕｍｅ  ｄｅｓｃｒｉｐｔｏｒに基づいて判定を行う。光ディスクがフォーマット済みの光ディスクであった場合は（Ｓ２０２：ＹＥＳ）、録画／再生制御部２４は、光ディスクドライブ１１で光ディスクから読み出したデータに基づき、光ディスクが再生専用の光ディスクであるか否かを判定する（Ｓ２０３）。
【００３４】
光ディスクが再生専用ではなかった場合は（Ｓ２０３：ＮＯ）、録画／再生制御部２４は、光ディスクのフォーマット指示を受け付けたか否かを判定する（Ｓ２０４）。例えば、録画／再生制御部２４は、光ディスクのフォーマット指示を受け付けるための受付画面用の映像信号をデコーダ２８及び画像処理部２９を介して信号出力部３４から映像表示装置４へ送信することにより、映像表示装置４に、フォーマット指示を受け付けるための受付画面を表示させる。受付画面を確認した使用者は、フォーマットを行う際には、リモコン５を操作することによって、フォーマットの指示を入力する。使用者からの所定の操作を受け付けたリモコン５が送信した所定の信号をリモコン受信部２１０が受信することによって、光ディスクのフォーマット指示を受け付けた場合（Ｓ２０４：ＹＥＳ）、又はステップＳ２０２で光ディスクがフォーマット済みではなかった場合は（Ｓ２０２：ＮＯ）、録画／再生制御部２４は、ドライブ制御部１３及び光ディスクドライブ１１に、光ディスクをフォーマットさせる（Ｓ２０５）。光ディスクのフォーマット指示の受け付けがない場合は（Ｓ２０４：ＮＯ）、録画／再生制御部２４は、光ディスクの登録指示を受け付けたか否かを判定する（Ｓ２０６）。例えば、録画／再生制御部２４は、登録指示を受け付けるための受付画面を映像表示装置４に表示させ、光ディスクの登録を行うか否かの指示をリモコン受信部２１０で受け付ける。なお、フォーマット指示を受け付けるための受付画面と、登録指示を受け付けるための受付画面とを一つに合わせた受付画面を映像表示装置４に表示させる処理を行ってもよい。
【００３５】
ステップＳ２０５が終了した場合、又はステップＳ２０６で光ディスクの登録指示を受け付けた場合は（Ｓ２０６：ＹＥＳ）、録画／再生制御部２４は、記憶部１２の管理領域に記憶された情報に基づき、記憶部１２の第１〜第ｎ領域の内で光ディスクが対応付けられていない記憶領域があるか否かを判定する（Ｓ２０７）。光ディスクが対応付けられていない記憶領域がない場合（Ｓ２０７：ＮＯ）、録画／再生制御部２４は、各記憶領域に対応付けて登録してある光ディスクの内で何れかの光ディスクの登録を解消することの指示を受け付けたか否かを判定する（Ｓ２０８）。例えば、録画／再生制御部２４は、光ディスクの新規登録ができないことを報知した上で既に登録されている光ディスクの登録解消の指示を受け付けるための受付画面を映像表示装置４に表示させ、登録解消をするか否かの指示をリモコン受信部２１０で受け付ける。なお、どの光ディスクの登録を解消するかの指示をも受け付ける処理を行ってもよい。登録解消の指示を受け付けた場合は（Ｓ２０８：ＹＥＳ）、録画／再生制御部２４は、ドライブ制御部１３に、記憶部１２の管理領域に記憶されている光ディスクに固有の識別情報を消去させることにより、光ディスクの登録を解消する処理を行う（Ｓ２０９）。例えば、記憶部１２の第１領域に対応付けられている光ディスク６１の登録を解消する場合は、録画／再生制御部２４は、記憶部１２の第１領域管理部に記憶されているメディアＩＤ及びメディアキー情報を消去する処理を行う。またこのとき、第１領域管理部に記憶されている割り当てフラグは、光ディスクが対応付けられていないことを示すフラグに書き換えられる。
【００３６】
ステップＳ２０７で光ディスクが対応付けられていない記憶領域がある場合（Ｓ２０７：ＹＥＳ）、又はステップＳ２０９が終了した場合は、録画／再生制御部２４は、光ディスクドライブ１１に装着された光ディスクに固有の識別情報を、光ディスクが対応付けられていない記憶領域に関連付けて記憶部１２の管理領域に記憶することにより、光ディスクを記憶領域に対応付けて登録する処理を行う（Ｓ２１０）。例えば、記憶部１２の第１領域に光ディスク６１を対応付ける場合は、録画／再生制御部２４は、光ディスクドライブ１１に装着されている光ディスク６１から読み出したメディアＩＤ及びメディアキー情報を記憶部１２の第１領域管理部に記憶させる処理を行う。また第１記憶管理部に記憶されている割り当てフラグを、光ディスクが対応付けられていることを示すフラグに書き換える。ステップＳ２０１でメディアＩＤが記憶部１２に記憶されており、光ディスクが登録済みであった場合（Ｓ２０１：ＹＥＳ）、又はステップＳ２１０が終了した場合は、録画／再生制御部２４は、録画又は再生等の処理を実行するために、光ディスクドライブ１１に装着されている光ディスクへのアクセスを開始する（Ｓ２１１）。
【００３７】
ステップＳ２０３で光ディスクが再生専用であった場合（Ｓ２０３：ＹＥＳ）、ステップＳ２０６で光ディスクの登録指示の受付がなかった場合（Ｓ２０６：ＮＯ）、又はステップＳ２０８で登録解消の指示の受付がなかった場合は（Ｓ２０８：ＮＯ）、録画／再生制御部２４は、光ディスクドライブ１１に装着されている光ディスクに対して、未登録の光ディスクとしてアクセスを開始する（Ｓ２１２）。録画装置１は、以上で、光ディスクが装着された際の処理を終了する。
【００３８】
録画装置１は、登録された光ディスクが光ディスクドライブ１１に装着されている状態で、録画予約の処理を行う。図６は、録画装置１が行う録画予約の処理の手順を示すフローチャートである。録画／再生制御部２４は、録画すべきコンテンツの指定を受け付けるための受付画面を映像表示装置４に表示させ、使用者が所定の操作を行ったリモコン５からの信号をリモコン受信部２１０で受信することによって、録画すべきコンテンツの指定を受け付ける（Ｓ３１）。例えば、映像表示装置４は、ＥＰＧ（電子番組表）を表示し、使用者はＥＰＧを確認しながらリモコン５を操作することによって、コンテンツがＥＰＧ上で指定される。録画／再生制御部２４は、次に、受け付けたコンテンツの指定に従って、録画を予約したコンテンツを指定する予約情報を生成し、光ディスクドライブ１１に装着されている光ディスクのメディアＩＤと関連付けて、予約情報を保存用メモリ２７に記憶させる（Ｓ３２）。録画／再生制御部２４は、次に、ドライブ制御部１３及び光ディスクドライブ１１に、光ディスクドライブ１１に装着されている光ディスクに予約情報を記録させる（Ｓ３３）。録画装置１は、以上で録画予約の処理を終了する。
【００３９】
図７は、保存用メモリ２７に記憶した予約情報の内容例を示す概念図である。メディアＩＤと予約情報とが互いに関連付けられて記憶されている。予約情報は、チャンネル、コンテンツの放送日時を示す情報を含んでおり、これらの情報により録画すべきコンテンツが指定される。即ち、予約情報は、コンテンツデータを記録すべきコンテンツを指定する情報であり、本発明におけるコンテンツ指定情報に相当する。なお、予約情報は、メディアＩＤの代わりに、光ディスクが対応する記憶部１２の記憶領域のエントリ番号に関連付けて記憶されてもよい。このようにして、保存用メモリ２７は、登録されている光ディスクに関連付けて予約情報を記憶する。
【００４０】
図８は、録画装置１が行う録画処理の手順を示すフローチャートである。録画／再生制御部２４は、クロックに基づいて日時を計測し、保存用メモリ２７に記憶してある予約情報に含まれる情報が示すコンテンツの放送日時になったか否かを随時判定する（Ｓ４０１）。まだコンテンツの放送日時ではない場合は（Ｓ４０１：ＮＯ）、録画／再生制御部２４は、日時の計測を続行する。予約情報に含まれる情報が示すコンテンツの放送日時になった場合は（Ｓ４０１：ＹＥＳ）、録画／再生制御部２４は、光ディスクドライブ１１に光ディスクが装着されているか否かを判定する（Ｓ４０２）。光ディスクドライブ１１に光ディスクが装着されている場合は（Ｓ４０２：ＹＥＳ）、録画／再生制御部２４は、光ディスクドライブ１１に装着されている光ディスクが放送日時を示す情報を含む予約情報に関連付けられた光ディスクであるか否かを判定する（Ｓ４０３）。ステップＳ４０３では、録画／再生制御部２４は、光ディスクからメディアＩＤを読み出し、予約情報に関連付けて保存用メモリ２７で記憶してあるメディアＩＤと読み出したメディアＩＤとが一致するか否かに応じて、判定を行う。
【００４１】
ステップＳ４０３で、メディアＩＤが一致してあり、光ディスクが予約情報に関連付けられた光ディスクである場合は（Ｓ４０３：ＹＥＳ）、録画／再生制御部２４は、放送が開始されたコンテンツの内容を表すコンテンツデータを光ディスクドライブ１１で光ディスクに記録させる処理を行う（Ｓ４０４）。ステップＳ４０４では、デジタルチューナ２１は予約情報が示すチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。ストリームデータは、デコードすることでコンテンツを再生することが可能であり、コンテンツの内容を表すコンテンツデータである。更にステップＳ４０４では、録画／再生制御部２４は、ドライブ制御部１３に、コンテンツデータを光ディスクドライブ１１で光ディスクに記録させる処理を行う。例えば、放送日時になったコンテンツを指定する予約情報が光ディスク６１に関連付けられてあり、光ディスク６１が光ディスクドライブ１１に装着されてある場合は、光ディスク６１にコンテンツデータが記録される。なお、録画／再生制御部２４は、光ディスクにコンテンツデータを記録させると共に、記憶部１２の記憶領域の内で、予約情報に関連付けられた光ディスクに対応する記憶領域にコンテンツデータを記憶させる処理を行ってもよい。
【００４２】
ステップＳ４０４での処理と共に、録画／再生制御部２４は、コンテンツの冒頭一定時間に対応するストリームデータを制御用メモリ２５又は記憶部１２に記憶し、記憶したストリームデータから、コンテンツの冒頭一定時間の内容を示すサムネイルデータを作成する（Ｓ４０５）。ステップＳ４０５では、録画／再生制御部２４は、ストリームデータを所定のデータ形式で圧縮エンコードすることにより、サムネイルデータを作成する。サムネイルデータは、デコードすることでサムネイル画像を再生するためのデータであり、サムネイル画像は、コンテンツの冒頭一定時間の部分を元のコンテンツに比べて小サイズ及び低解像度で表示する映像である。なお、映像に加えて音声をも再生できるサムネイルデータを作成してもよい。また、コンテンツデータのデータサイズが一定のサイズになるようにコンテンツデータを作成してもよい。この場合は、コンテンツの内容によって、サムネイル画像の再生時間が変動する。またステップＳ４０５では、コンテンツの冒頭から連続した映像を表示するサムネイル画像ではなく、コンテンツの内容に応じた断続的な映像を表示するサムネイル画像を再生するためのサムネイルデータを作成してもよく、また、コンテンツの内容に応じた一又は複数の画像でなるサムネイル画像を再生するためのサムネイルデータを作成してもよい。
【００４３】
録画／再生制御部２４は、次に、記憶部１２の記憶領域の内で、光ディスクドライブ１１でコンテンツデータを記録した光ディスクに対応付けられた記憶領域に、作成したサムネイルデータを記憶させる（Ｓ４０６）。例えば、光ディスク６１にコンテンツデータが記録されている場合は、記憶部１２の第１領域にサムネイルデータが記憶される。コンテンツの放送が終了し、コンテンツデータの記録が終了した場合、録画／再生制御部２４は、光ディスクに記録したコンテンツデータが表すコンテンツのタイトルを示すタイトル情報を光ディスクに記録させる（Ｓ４０７）。コンテンツのタイトルには、ＥＰＧで表示されるタイトル等、デジタルチューナ２１が受信する放送信号に含まれる情報に基づいて決定したタイトルを用いてもよく、また使用者がリモコン５を操作することにより設定されたタイトルを用いてもよい。録画／再生制御部２４は、次に、光ディスクに記録させたタイトル情報と同等のタイトル情報を、保存用メモリ２７に記憶させる（Ｓ４０８）。なお、録画／再生制御部２４は、記憶部１２の記憶領域の内で光ディスクに対応する記憶領域にタイトル情報を記憶させる処理を行ってもよい。
【００４４】
ステップＳ４０２で光ディスクドライブ１１に光ディスクが装着されていない場合（Ｓ４０２：ＮＯ）、又はステップＳ４０３でメディアＩＤが一致しておらず、光ディスクが予約情報に関連付けられた光ディスクではない場合は（Ｓ４０３：ＮＯ）、録画／再生制御部２４は、放送が開始されたコンテンツの内容を表すコンテンツデータを、記憶部１２の記憶領域の内で、予約情報に関連付けられた光ディスクに対応する記憶領域に記憶させる（Ｓ４１１）。例えば、放送日時になったコンテンツを指定する予約情報が光ディスク６１に関連付けられてあり、光ディスクドライブ１１に光ディスクが装着されていないか、又は光ディスクドライブ１１に光ディスク６１以外の光ディスクが装着されている場合は、記憶部１２の第１領域にコンテンツデータが記憶される。ステップＳ４１１での処理と共に、録画／再生制御部２４は、コンテンツの冒頭一定時間に対応するコンテンツデータから、コンテンツの冒頭一定時間の内容を示すサムネイルデータを作成する（Ｓ４１２）。ステップＳ４１２では、ステップＳ４０５と同様の方法でサムネイルデータを作成する。録画／再生制御部２４は、次に、記憶部１２の記憶領域の内で、コンテンツデータを記録した記憶領域と同一の記憶領域に、作成したサムネイルデータを記憶させる（Ｓ４１３）。コンテンツの放送が終了し、コンテンツデータの記憶が終了した場合、録画／再生制御部２４は、記憶部１２に記憶させたコンテンツデータが表すコンテンツのタイトルを示すタイトル情報を、保存用メモリ２７に記憶する（Ｓ４０８）。
【００４５】
ステップＳ４０８が終了した後は、録画／再生制御部２４は、光ディスクに記録したコンテンツデータ又は記憶部１２に記憶したコンテンツデータの分布状態を示すデータ分布情報を、ステップＳ４０８までの処理を反映するように更新する（Ｓ４０９）。録画／再生制御部２４は、次に、録画が終了したコンテンツの予約情報を光ディスク及び保存用メモリ２７から消去する処理を行い（Ｓ４１０）、録画処理を終了する。以上の録画処理により、録画装置１は、放送中のコンテンツを表すコンテンツデータを、光ディスクに記録させるか、又は記憶部１２に記憶させ、いずれの場合においても、コンテンツデータの内容を示すサムネイルデータを作成して記憶部１２に記憶させる。
【００４６】
録画装置１は、光ディスクドライブ１１に光ディスクが装着され、ステップＳ２１１で登録済みの光ディスクにアクセスを開始した後、光ディスクの記録内容を記憶部１２の対応する記憶領域での記憶内容に同期させる処理を行う。図９は、録画装置１が行う同期処理の手順を示すフローチャートである。ステップＳ２１１で光ディスクにアクセスを開始した後、録画／再生制御部２４は、光ディスクの記録内容と、記憶部１２の記憶領域の内で光ディスクに対応する記憶領域での記憶内容とを比較する（Ｓ５０１）。録画／再生制御部２４は、比較の結果、光ディスクに未記録のコンテンツデータが、該当する記憶領域に記憶されているか否かを判定する（Ｓ５０２）。録画／再生制御部２４は、ステップＳ５０２で、例えば、記憶領域に記憶されているコンテンツデータと同一タイトルのコンテンツデータが光ディスクに記録されているか否かに基づいて、判定を行う。ステップＳ５０２では、例えば、光ディスク６１に未記録のコンテンツデータが記憶部１２の第１記憶領域に記憶されているか否かを判定する。
【００４７】
ステップＳ５０２で未記録のコンテンツデータが記憶されている場合は（Ｓ５０２：ＹＥＳ）、録画／再生制御部２４は、記憶部１２の該当する記憶領域から、光ディスクへ未記録のコンテンツデータをコピーする（Ｓ５０３）。ステップＳ５０３では、録画／再生制御部２４は、ドライブ制御部１３に、記憶部１２から未記録のコンテンツデータを読み出させ、読み出したコンテンツデータを光ディスクドライブ１１で光ディスクに記録させる。録画／再生制御部２４は、次に、記憶部１２の該当する記憶領域から、光ディスクへコピーしたコンテンツデータを消去する（Ｓ５０４）。ステップＳ５０４では、録画／再生制御部２４は、ドライブ制御部１３に、記憶部１２で記憶するコンテンツデータを消去させる。
【００４８】
録画／再生制御部２４は、次に、コンテンツデータを光ディスクが記録した状態を反映させるように、保存用メモリ２７に記憶したタイトル情報を更新し（Ｓ５０５）、記憶部１２の管理領域で記憶するデータ分布情報を更新する（Ｓ５０６）。ステップＳ５０６では、例えば、光ディスク６１がコンテンツデータを記録した状態を反映するように、記憶部１２の第１領域管理部で記憶したデータ分布情報を更新する。録画／再生制御部２４は、次に、光ディスクに記録したコンテンツデータに係る予約情報、即ち、そのコンテンツデータが表すコンテンツを録画するために生成した予約情報が光ディスクに記録されているか否かを判定する（Ｓ５０７）。光ディスクに記録したコンテンツデータに係る予約情報が光ディスクに記録されている場合は（Ｓ５０７：ＹＥＳ）、録画／再生制御部２４は、ドライブ制御部１３に、光ディスクドライブ１１で光ディスクから該当する予約情報を消去させる（Ｓ５０８）。
【００４９】
ステップＳ５０２で光ディスクに未記録のコンテンツデータが記憶されていない場合（Ｓ５０２：ＮＯ）、ステップＳ５０７で光ディスクに記録したコンテンツデータに係る予約情報が光ディスクに記録されていない場合（Ｓ５０７：ＮＯ）、又はステップＳ５０８が終了した後は、録画／再生制御部２４は、保存用メモリ２７で未記憶の予約情報が光ディスクに記録されているか否かを判定する（Ｓ５０９）。保存用メモリ２７で未記憶の予約情報が光ディスクに記録されている場合は（Ｓ５０９：ＹＥＳ）、録画／再生制御部２４は、未記憶の予約情報を光ディスクから保存用メモリ２７へコピーする（Ｓ５１０）。ステップＳ５１０では、録画／再生制御部２４は、ドライブ制御部１３に、光ディスクドライブ１１で光ディスクから未記憶の予約情報を読み出させ、インタフェース部１４を介してバックエンド部２０へ予約情報を入力させ、入力された予約情報を保存用メモリ２７に記憶する。ステップＳ５０８及びＳ５１０の処理により、光ディスクに記録される予約情報と保存用メモリ２７に記憶される予約情報とが一致することになる。ステップＳ５０９で未記憶の予約情報が光ディスクに記録されていない場合（Ｓ５０９：ＮＯ）、又はステップＳ５１０が終了した後は、録画／再生制御部２４は、同期の処理を終了する。以上の同期の処理により、光ディスクに記録されずに記憶部１２に記憶されたコンテンツデータが光ディスクへ転送されて記録されることとなる。
【００５０】
図１０は、記憶部１２及び光ディスクの状態を示す概念図である。図１０では、記憶部の第１領域に記憶されたデータの分布、及び光ディスク６１に記録されたデータの分布を模式的に示している。図１０（ａ）は、ステップＳ４１１によって記憶部１２の第１領域にタイトルＡのコンテンツデータが記憶された状態を示す。ここで、タイトルＡとは、例として使用する特定のコンテンツデータが表すコンテンツのタイトル名である。また図１０（ｂ）は、ステップＳ４０４によって光ディスク６１にタイトルＡのコンテンツデータが記録されるか、又は同期の処理によって第１領域から光ディスク６１へタイトルＡのコンテンツデータが転送された後の状態を示す。図１０（ａ）に示すように、タイトルＡのコンテンツの放送時に光ディスク６１が装着されていなかった場合は、記憶部１２の第１領域にタイトルＡのサムネイルデータ及びコンテンツデータが記憶され、光ディスク６１にはタイトルＡに係るデータは記録されていない。図１０（ｂ）に示すように、タイトルＡのコンテンツの放送時に光ディスク６１が装着されていた場合、又は同期処理が終了した後は、記憶部１２の第１領域にタイトルＡのサムネイルデータが記憶され、コンテンツデータは記憶されておらず、光ディスク６１にはタイトルＡのコンテンツデータが記録されている。
【００５１】
図１１は、タイトル情報の内容例を示す概念図である。図１１（ａ）は、図１０（ａ）に示すようにタイトルＡのコンテンツデータが記憶部１２に記憶されて光ディスクには記録されていない状態でのタイトル情報を示す。コンテンツのタイトル名に関連付けて、コンテンツの録画時間の長さ、放送日、及び放送時間を示す情報が記録されており、またコンテンツの内容又は出演者等のコンテンツに関する各種の情報からなる番組情報が記録されている。またコンテンツに関する録画装置１と光ディスクとの間の同期状態を示す情報が記録されている。図１１（ａ）に示す例では、コンテンツに関する情報はまだ光ディスクには記録されていないので、同期状態は未同期となっている。図１１（ｂ）は、図１０（ｂ）に示すようにタイトルＡのコンテンツデータが光ディスクに記録されている状態でのタイトル情報を示す。コンテンツに関する情報が光ディスクに記録されているので、同期状態は同期となっている。以上のようなタイトル情報は、記憶部１２の各記憶領域別に保存用メモリ２７に記憶されている。なお、録画装置１は、タイトル情報を記憶部１２の各記憶領域に記憶している形態であってもよい。
【００５２】
また、記憶部１２の記憶領域に含まれる各管理部に記憶されているデータ分布情報は、各記憶領域に記憶されているサムネイルデータ及びコンテンツデータの記憶領域上でのアドレスと、各記憶領域に対応する光ディスクに記録されているコンテンツデータの光ディスク上でのアドレスとを記録している。例えば、図１０（ｂ）に示す如き状態では、記憶部１２の第１領域管理部に記憶されたデータ分布情報は、タイトルＡのサムネイルデータの第１領域上でのアドレスと、タイトルＡのコンテンツデータの光ディスク６１上でのアドレスとを記録している。データ分布情報を参照することによって、記憶部１２に記憶されているサムネイルデータ及びコンテンツデータ、並びに光ディスクに記録されているコンテンツデータにアクセスすることができる。
【００５３】
サムネイルデータは、記憶部１２の記憶領域の内、コンテンツデータを記録した光ディスクに対応する記憶領域に記憶されることによって、当該光ディスクに関連付けられている。例えば、図１０に示すように、光ディスク６１に記録したコンテンツデータの内容を示すサムネイルデータは第１領域に記憶される。またコンテンツデータ及びサムネイルデータにはタイトル名が含まれており、タイトル情報及びデータ分布情報によって、サムネイルデータはコンテンツデータに関連付けられている。なお、光ディスクのメディアＩＤと、コンテンツデータが光ディスクに記録されているアドレスを示す情報とをサムネイルデータに含ませる等、その他の方法でサムネイルデータを光ディスク及びコンテンツデータに関連付けてもよい。
【００５４】
次に、本発明の録画装置１でコンテンツを再生する処理を説明する。図１２は、複数のコンテンツデータが記録された場合の記憶部１２及び光ディスクの状態例を示す概念図であり、図１３は、複数のコンテンツデータが記録された場合のタイトル情報の例を示す概念図である。図１２に示す例では、光ディスク６１にタイトルＡのコンテンツデータが記録され、記憶部１２の第１領域にタイトルＢのコンテンツデータが記憶されている。またタイトルＡ及びタイトルＢのサムネイルデータが記憶部１２の第１領域に記憶されている。図１３に示す例では、タイトル情報は、記憶部１２の第１領域に関して、タイトルＡ及びタイトルＢのコンテンツデータが記録されていることを示しており、またタイトルＡのコンテンツデータは同期の状態であり、タイトルＢのコンテンツデータは未同期の状態であることを示している。図１２及び図１３に示した例を用いて、コンテンツを再生する処理を説明する。
【００５５】
図１４は、録画装置１が行うコンテンツを再生する処理の手順を示すフローチャートである。録画／再生制御部２４は、使用者が所定の操作を行ったリモコン５からの信号をリモコン受信部２１０で受信することによって、再生処理を開始するための指示を受け付ける。更に、録画／再生制御部２４は、記憶部１２の各記憶領域に応じた操作を使用者が行ったリモコン５からの信号をリモコン受信部２１０で受信することにより、記憶部１２に含まれる一の記憶領域の指定を受け付ける（Ｓ６１）。録画／再生制御部２４は、次に、指定された記憶領域に記憶したサムネイルデータに基づいたサムネイル画像の一覧を映像表示装置４に表示させる（Ｓ６２）。ステップＳ６２では、録画／再生制御部２４は、保存用メモリ２７で記憶しているタイトル情報から、指定された記憶領域に関連付けられたコンテンツのタイトルを読み出し、記憶部１２の管理領域に記憶されたデータ分布情報を参照して、読み出したタイトルのサムネイルデータを記憶領域から読み出す。録画／再生制御部２４は、デコーダ２８に、読み出したサムネイルデータを映像信号へデコードさせ、画像処理部２９に画像処理を行わせ、信号出力部３４から映像表示装置４へ映像信号を出力させる。映像表示装置４は、録画装置１からの映像信号に基づいてサムネイル画像を表示する。例えば、録画／再生制御部２４は、記憶部１２の第１領域管理部に記憶されたデータ分布情報を参照し、記憶部１２の第１領域からタイトルＡ及びタイトルＢのサムネイルデータを読み出して送信し、映像表示装置４は、タイトルＡ及びタイトルＢのサムネイル画像を表示する。
【００５６】
図１５は、サムネイル画像の一覧を表示した表示画面の例を示す概念図である。図１５中の４１はコンテンツを表示するための表示部分である。図１５中のＤ１、Ｄ２、Ｄ３と表示されたタブは、記憶領域を選択するためのタブであり、夫々第１領域、第２領域、第３領域に対応する。ステップＳ６１では、画面上で何れかのタブを選択することにより、記憶領域が指定される。図１５中では、Ｄ１のタブが前面に表示されており、第１領域が指定されていることを示す。表示画面には、図１３に示すタイトル情報の例と同様に、タイトルＡ及びタイトルＢからなるコンテンツのタイトルリストが表示されている。更に表示画面には、第１領域に記憶したサムネイルデータに基づいたサムネイル画像の一覧が表示されている。即ち、タイトルＡのサムネイルデータに基づいたサムネイル画像４２、及びタイトルＢのサムネイルデータに基づいたサムネイル画像４３が表示されている。より多くのコンテンツデータが記録されている場合は、より多くのサムネイル画像が表示される。また、他の記憶領域が指定されている場合は、他の記憶領域に記憶したサムネイルデータに基づいたサムネイル画像の一覧が表示される。
【００５７】
録画／再生制御部２４は、次に、表示されたサムネイル画像の一覧を確認した使用者がリモコン５を操作し、リモコン５からの信号をリモコン受信部２１０で受信することによる、再生すべきコンテンツの指定の受け付けを待ち受ける（Ｓ６３）。例えば、図１５に示す如き画面上でカーソルを移動させ、画面上でコンテンツに係るタイトル名又はサムネイル画像をカーソルで指定することにより、コンテンツを指定する。コンテンツの指定の受付がない場合は（Ｓ６３：ＮＯ）、録画／再生制御部２４は、使用者が所定の操作を行ったリモコン５からの信号をリモコン受信部２１０で受信することによる、コンテンツを再生する処理を終了するための指示の受け付けを待ち受ける（Ｓ６４）。終了の指示の受付がない場合は（Ｓ６４：ＮＯ）、録画／再生制御部２４は、処理をステップＳ６３へ戻す。終了の指示を受け付けた場合は（Ｓ６４：ＹＥＳ）、録画／再生制御部２４は、処理を終了する。
【００５８】
ステップＳ６３でコンテンツの指定を受け付けた場合は（Ｓ６３：ＹＥＳ）、録画／再生制御部２４は、指定されたコンテンツを表すコンテンツデータを、指定された記憶領域に記憶しているか否かを判定する（Ｓ６５）。ステップＳ６５では、録画／再生制御部２４は、例えば、タイトル情報を参照し、指定されたコンテンツのタイトル名に関連付けられた同期状態を示す情報が、同期を示しているか又は未同期を示しているかに基づいて判定を行う。同期状態が未同期の場合は、コンテンツデータは記憶部１２の記憶領域に記憶してあり、同期状態が同期の場合は、コンテンツデータは記憶していない。コンテンツデータを記憶領域に記憶している場合は（Ｓ６５：ＹＥＳ）、録画／再生制御部２４は、記憶しているコンテンツデータに基づいてコンテンツを再生する処理を行う（Ｓ６６）。このとき、録画／再生制御部２４は、記憶部１２の管理領域に記憶されたデータ分布情報を参照することにより、コンテンツデータが記憶されている記憶部１２上のアドレスを特定し、ドライブ制御部１３に、再生すべきコンテンツを表すコンテンツデータを記憶部１２から読み出させ、インタフェース部１４を介してバックエンド部２０へコンテンツデータを入力させる。更に録画／再生制御部２４は、デコーダ２８に、入力されたコンテンツデータを映像信号及び音声信号へデコードさせ、画像処理部２９に画像処理を行わせ、信号出力部３４から映像表示装置４へ映像信号及び音声信号を出力させる。映像表示装置４は、録画装置１からの映像信号及び音声信号に基づいて映像の表示及び音声の出力を行うことにより、コンテンツを再生する。
【００５９】
ステップＳ６５でコンテンツデータを記憶領域に記憶していない場合は（Ｓ６５：ＮＯ）、録画／再生制御部２４は、指定された記憶領域に関連付けられた光ディスクが光ディスクドライブ１１に装着されているか否かを判定する（Ｓ６７）。ステップＳ６７では、光ディスクドライブ１１に光ディスクが装着されているかの判定と、メディアＩＤに基づいた判定とを行う。指定された記憶領域に関連付けられた光ディスクが光ディスクドライブ１１に装着されている場合は（Ｓ６７：ＹＥＳ）、録画／再生制御部２４は、光ディスクに記録しているコンテンツデータに基づいてコンテンツを再生する処理を行う（Ｓ６６）。このとき、録画／再生制御部２４は、記憶部１２の管理領域に記憶されたデータ分布情報を参照することにより、コンテンツデータが記録されている光ディスク上のアドレスを特定し、ドライブ制御部１３に、再生すべきコンテンツを表すコンテンツデータを光ディスクから光ディスクドライブ１１で読み出させる。以降は同様にして、コンテンツデータに基づいてコンテンツを再生する。
【００６０】
ステップＳ６７で、指定された記憶領域に関連付けられた光ディスクが光ディスクドライブ１１に装着されていない場合は（Ｓ６７：ＮＯ）、録画／再生制御部２４は、指定された記憶領域に関連付けられた光ディスクの装着を促すメッセージを表示する処理を行う（Ｓ６８）。ステップＳ６８では、録画／再生制御部２４は、メッセージ用のデータを保存用メモリ２７から読み出し、読み出したデータを信号出力部３４から映像表示装置４へ出力させる。映像表示装置４は、録画装置１からのデータに基づいてメッセージを表示する。録画／再生制御部２４は、次に、使用者が所定の操作を行ったリモコン５からの信号をリモコン受信部２１０で受信することによる、コンテンツの指定をキャンセルするための指示の受け付けを待ち受ける（Ｓ６９）。キャンセルの指示の受付がない場合は（Ｓ６９：ＮＯ）、録画／再生制御部２４は、処理をステップＳ６７へ戻す。キャンセルの指示を受け付けた場合は（Ｓ６９：ＹＥＳ）、録画／再生制御部２４は、処理をステップＳ６３へ戻す。
【００６１】
コンテンツの再生が終了した後は、録画／再生制御部２４は、再生の処理を終了する。再生の処理を終了した後は、録画／再生制御部２４は、ステップＳ６１から処理を繰り返す。
【００６２】
以上詳述した如く、本実施の形態においては、録画装置１は、内部の記憶部１２にコンテンツデータを記憶する際に、コンテンツデータの内容を示すサムネイルデータを作成して記憶部１２に記憶する。また録画装置１は、光ディスクドライブ１１に装着された光ディスクにコンテンツデータを記録する際に、サムネイルデータを作成して記憶部１２に記憶する。また録画装置１は、記憶部１２を分割した複数の記憶領域の夫々に特定の光ディスクを関連づけておき、光ディスクが光ディスクドライブ１１に装着された場合に、光ディスクに対応する記憶領域に記憶されたコンテンツデータを光ディスクへ転送する。この際、サムネイルデータは記憶部１２に記憶されたままにする。録画装置１は、記憶部１２に記憶したサムネイルデータに基づいてサムネイル画像を表示する処理を行う。
【００６３】
本実施の形態においては、記憶部１２に記憶したコンテンツデータのみならず、光ディスクに記録して記憶部１２には記憶していないコンテンツデータについても、サムネイルデータを記憶してある。これにより、録画装置１は、サムネイルデータを用いて、コンテンツデータを光ディスクに記録してあって記憶部１２には記憶していないコンテンツを含めた過去に録画した全てのコンテンツを管理し、必要に応じて示すことができる。例えば、記憶部１２には記憶していないコンテンツデータについても、サムネイル画像を用いてコンテンツを指定した場合には、コンテンツデータを記録してある光ディスクの装着を促すことによって、容易にコンテンツデータを読み出すことが可能となる。また本実施の形態では、コンテンツデータを記憶部１２に記憶する際又は光ディスクに記録する際に、サムネイルデータを作成して記憶部１２に記憶しておくので、サムネイル画像を表示する際には、記憶部１２に記憶してあるサムネイルデータに基づいて容易にサムネイル画像を表示することができる。コンテンツを再生せずともサムネイルデータの生成のためにコンテンツデータを読み出す必要がある従来技術に比べて、録画装置１に負荷をかけることなくサムネイル画像を表示することができる。またサムネイルデータを作成するために光ディスクからコンテンツデータを読み出す必要がないので、短時間でサムネイル画像を表示することができる。
【００６４】
録画装置１は、サムネイル画像を表示する際に、記憶領域に記憶されたサムネイルデータに基づいたサムネイル画像の一覧を表示することにより、特定の光ディスクに関連して録画した全てのコンテンツが示される。使用者は、表示されたサムネイル画像の一覧を確認することにより、特定の光ディスクに関して記録されたコンテンツデータを確認し、再生すべきコンテンツを目視で検索して選択することができる。またサムネイルデータは、コンテンツの冒頭一定時間内の内容を示すサムネイル画像を表しているので、使用者は、表示されたサムネイル画像を確認することにより、コンテンツを実際に再生せずともコンテンツの内容を把握することができる。サムネイル画像を用いることにより、使用者は、コンテンツの内容を把握しながら実際に再生すべきコンテンツを選択することが容易に可能となる。
【００６５】
また本実施の形態では、録画装置１は、録画のための予約情報を光ディスクに関連付けて記憶し、録画すべきコンテンツの放送時に当該光ディスクが装着されている場合は光ディスクにコンテンツデータを記録し、光ディスクが装着されていない場合は、当該光ディスクに対応する記憶領域にコンテンツデータを記憶させる。また録画装置１は、光ディスクが装着された場合に、当該光ディスクを対応付けられた記憶領域に記憶されたコンテンツデータを光ディスクに記録させる。録画装置１では、光ディスクに関連付けて予約情報を記憶しておけば、コンテンツの放送時に光ディスクが装着されておらずとも、コンテンツデータは記憶部１２に記憶され、後日光ディスクが装着されたときにコンテンツデータが光ディスクに記録される。従って、確実にコンテンツを録画することが可能となる。
【００６６】
なお、本実施の形態においては、サムネイルデータを記憶部１２のみに記憶する形態を示したが、これに限るものではなく、本発明の録画装置１は、コンテンツデータを光ディスクに記録する際及びコンテンツデータを光ディスクへ転送する際に、サムネイルデータを光ディスクへコピーする処理を行う形態であってもよい。この形態の場合は、光ディスクにはサムネイルデータが記録されるので、他の再生装置でコンテンツを再生する際に、サムネイル画像を用いたコンテンツの選択が容易となる。また、本実施の形態においては、記憶部１２の各記憶領域別にサムネイル画像の一覧を表示する形態を示したが、これに限るものではなく、本発明の録画装置１は、記憶部１２の全記憶領域に記憶したサムネイルデータに基づいたサムネイル画像の一覧を表示する処理を行う形態であってもよい。この形態の場合は、録画装置１で過去に録画した全てのコンテンツの中からいずれかを選んで再生することができる。
【００６７】
また本実施の形態においては、録画装置１に接続された映像表示装置４にサムネイル画像及びコンテンツの映像を表示させる形態を示したが、これに限るものではなく、本発明の録画装置１は、ディスプレイを備え、サムネイル画像又はコンテンツの映像をディスプレイに表示する形態であってもよい。また本発明の録画装置１は、コンテンツデータを光ディスクへ転送する際に直ちに記憶部１２からコンテンツデータを消去するのではなく、コンテンツデータを記憶するための記憶容量が不足したときに光ディスクへ転送済みのコンテンツデータを消去する形態であったもよい。この形態の場合は、光ディスクにコンテンツデータを記録してあってもコンテンツデータが記憶部１２にまだ記憶されているときには、記憶部１２で記憶しているコンテンツデータに基づいてコンテンツを再生することにより、スムーズなコンテンツの再生が可能となる。
【００６８】
また本実施の形態においては、記憶部１２を複数の記憶領域に分割し、各記憶領域に光ディスクを関連付けた形態を示したが、これに限るものではなく、本発明の録画装置１は、記憶部１２の分割を行わない形態であってもよい。この形態では、録画装置１は、コンテンツデータを光ディスクに記録する際及びコンテンツデータを光ディスクへ転送する際に、光ディスクのメディアＩＤ及びサムネイルデータを互いに関連付けて記憶部１２に記憶する。サムネイル画像を用いてコンテンツが選択されたときは、録画装置１は、サムネイルデータに関連付けられたメディアＩＤが示す光ディスクから、タイトル名に基づいてコンテンツデータを読み出し、コンテンツを再生する処理を行う。このような処理を行うことにより、この形態においても、録画装置１は、過去に録画したコンテンツを管理することができる。また本発明の録画装置１は、可搬型の記録媒体として、磁気テープ、磁気ディスク、可搬型のハードディスク又はメモリカード等、光ディスク以外の記録媒体を利用する形態であってもよい。
【００６９】
また本実施の形態においては、本発明におけるコンテンツデータは放送された映像番組のデータである形態を示したが、これに限るものではなく、コンテンツデータは、任意のプログラムデータ、映像データ、静止画像データ、又は音声データ等、放送された映像番組のデータ以外のデータであってもよい。この場合、本発明の記録装置は、これらコンテンツデータの入力を受け付けるためのインタフェースを備え、入力されたコンテンツデータを記憶部１２に記憶する形態であればよい。この形態の記録装置で作成するサムネイルデータは、例えば、楽曲のタイトル名等のコンテンツの内容に関するメタ情報に基づいて作成された、タイトル名等のコンテンツの内容を示す文字を含んだ画像を表す画像データであってもよい。
【符号の説明】
【００７０】
１  録画装置（記録装置）
１０  ハイブリッドドライブ部
１１  光ディスクドライブ
１２  記憶部
１３  ドライブ制御部
２０  バックエンド部
２１  デジタルチューナ
２３  ストリーム処理部
２４  録画／再生制御部
２７  保存用メモリ
２８  デコーダ
２９  画像処理部
２１０  リモコン受信部
３４  信号出力部
４  映像表示装置
４２、４３  サムネイル画像
５  リモコン（リモートコントローラ）
６１  光ディスク（記録媒体）
【図１】
2011061369.tif 000003
【図２】
2011061369.tif 000004
【図３】
2011061369.tif 000005
【図４】
2011061369.tif 000006
【図５】
2011061369.tif 000007
【図６】
2011061369.tif 000008
【図７】
2011061369.tif 000009
【図８】
2011061369.tif 000010
【図９】
2011061369.tif 000011
【図１０】
2011061369.tif 000012
【図１１】
2011061369.tif 000013
【図１２】
2011061369.tif 000014
【図１３】
2011061369.tif 000015
【図１４】
2011061369.tif 000016
【図１５】
2011061369.tif 000017